(57)【要約】【課題】電力系統の事故の発生の際に事故内容および事故発生箇所を配電盤が音声出力するとともに事故内容および事故発生箇所を携帯情報端末で取得することができる事故情報管理システムを提供すること。【解決手段】本発明に係る事故情報管理システム１は、変電所内系統の事故発生の有無を表示する事故表示スイッチ１３を備え事故の発生を表示した事故表示スイッチ１３の押圧により事故内容情報および事故発生箇所情報を音声出力する配電盤１０と、タッチパネル機能を有する表示部３１に変電所内系統の事故発生の有無を表示する事故表示領域３３を表示し、配電盤１０から受信した事故内容情報および事故発生箇所情報に基づき事故表示領域３３に事故の発生を表示させ、事故の発生を表示した事故表示領域３３の押圧により事故内容情報および事故発生箇所情報を出力する携帯情報端末３０とを備える。【選択図】  図１
2008234172.tif 000002
【特許請求の範囲】
【請求項１】
変電所内系統の事故の事故名称毎に設けられ事故発生の有無を表示する事故表示スイッチからなる事故表示スイッチ群と、前記事故の発生を表示した事故表示スイッチの押圧により、この事故表示スイッチの事故名称に属する事故内容情報および事故発生箇所情報を音声出力する配電盤と、
タッチパネル機能を有する表示部に、変電所内系統の事故の事故名称毎に設けられ事故発生の有無を表示する事故表示領域からなる事故表示領域テーブルを表示し、前記配電盤から受信した事故内容情報および事故発生箇所情報に基づき、この事故内容情報および事故発生箇所情報の属する事故名称の事故表示領域に事故の発生を表示させるとともに、この事故の発生を表示した事故表示領域の押圧によりこの事故表示領域の事故名称に属する事故内容情報および事故発生箇所情報を出力する携帯情報端末と、
を備えることを特徴とする事故情報管理システム。
【請求項２】
前記配電盤は、
変電所内系統の事故の事故名称毎に設けられ事故発生の有無を表示する事故表示スイッチからなる事故表示スイッチ群と、
前記事故の発生に基づき作成された事故内容情報および事故発生箇所情報を取得する事故内容／発生箇所情報取得部と、
前記事故内容情報および事故発生箇所情報に基づき、前記事故内容情報および事故発生箇所情報の属する事故名称の事故表示スイッチに事故の発生を表示させる事故表示指示部と、
音声を出力する音声出力部と、
外部機器と有線または無線で接続可能な通信部と、
前記事故の発生を表示した事故表示スイッチの押圧に基づき、この事故表示スイッチの事故名称に属する事故内容情報および事故発生箇所情報を前記音声出力部から音声出力させる音声出力指示部と、
を備えることを特徴とする請求項１に記載の事故情報管理システム。
【請求項３】
前記配電盤は、
前記事故の発生を表示した事故表示スイッチの押圧に基づき、この事故表示スイッチの事故名称に属する事故内容情報および事故発生箇所情報を前記通信部から携帯情報端末に送信させる送信指示部をさらに備えることを特徴とする請求項２に記載の事故情報管理システム。
【請求項４】
前記配電盤は、
前記事故への対処方法であるメンテナンス情報が記憶されたメンテナンス情報データベースをさらに備えることを特徴とする請求項２に記載の事故情報管理システム。
【請求項５】
前記配電盤は、
前記変電所内系統の事故の発生時前後の運用状態を示す事故時系統状態情報が記憶された事故時系統状態情報データベースをさらに備えることを特徴とする請求項２に記載の事故情報管理システム。
【請求項６】
前記事故時系統状態情報は、前記変電所内系統の事故履歴を示す事故履歴情報、前記変電所内系統の運用状態を示す運用状態情報、前記変電所内系統の電流状態を示す電流情報、および、前記変電所内系統の電圧状態を示す電圧情報、の少なくともいずれかであることを特徴とする請求項５に記載の事故情報管理システム。
【請求項７】
前記携帯情報端末は、
情報を表示するとともにタッチパネル機能を有する表示部と、
変電所内系統の事故の事故名称毎に設けられ事故発生の有無を表示する事故表示領域からなる事故表示領域テーブルと、
外部機器と有線または無線で接続可能な通信部と、
前記事故の発生に基づき作成された事故内容情報および事故発生箇所情報を配電盤から前記通信部を介して取得する事故関連情報取得部と、
前記事故内容情報および事故発生箇所情報に基づき、前記事故内容情報および事故発生箇所情報の属する事故名称の事故表示領域に事故の発生を表示させる事故表示指示部と、
前記表示部に表示され、前記事故の発生を表示した事故表示領域の押圧に基づき、この事故表示領域の事故名称に属する事故内容情報および事故発生箇所情報を出力させる出力指示部と、
を備えることを特徴とする請求項１に記載の事故情報管理システム。
【請求項８】
前記携帯情報端末は、
前記出力指示部が、前記事故内容情報および事故発生箇所情報を前記表示部に出力させることを特徴とする請求項７に記載の事故情報管理システム。
【請求項９】
前記携帯情報端末は、
音声を出力する音声出力部をさらに備え、
前記出力指示部が、前記事故内容情報および事故発生箇所情報を前記音声出力部から音声で出力させることを特徴とする請求項７に記載の事故情報管理システム。
【請求項１０】
前記携帯情報端末は、
前記事故関連情報取得部が、前記事故への対処方法であるメンテナンス情報を配電盤から前記通信部を介してさらに取得することを特徴とする請求項７に記載の事故情報管理システム。
【請求項１１】
前記携帯情報端末は、
前記出力指示部が、前記事故の発生を表示した事故表示領域の押圧に基づき、この事故表示領域の事故名称に属する前記メンテナンス情報を前記表示部に表示させることを特徴とする請求項１０に記載の事故情報管理システム。
【請求項１２】
前記携帯情報端末は、
前記事故関連情報取得部が、前記変電所内系統の事故の発生時前後の運用状態を示す事故時系統状態情報を配電盤から前記通信部を介してさらに取得することを特徴とする請求項７に記載の事故情報管理システム。
【請求項１３】
前記携帯情報端末は、
前記出力指示部が、前記事故の発生を表示した事故表示領域の押圧に基づき、この事故表示領域の事故名称に属する前記事故時系統状態情報を前記表示部に表示させることを特徴とする請求項１２に記載の事故情報管理システム。
【請求項１４】
前記事故時系統状態情報は、前記変電所内系統の事故履歴を示す事故履歴情報、前記変電所内系統の運用状態を示す運用状態情報、前記変電所内系統の電流状態を示す電流情報、および、前記変電所内系統の電圧状態を示す電圧情報、の少なくともいずれかであることを特徴とする請求項１３に記載の事故情報管理システム。
【発明の詳細な説明】
【技術分野】
【０００１】
本発明は、変電所内系統の事故の発生の有無を検知する事故情報管理システムに関し、詳しくは、配電盤に設けられたスイッチの押圧により事故の内容および事故の発生箇所を配電盤および携帯情報端末で知ることが可能な事故情報管理システムに関する。
【背景技術】
【０００２】
変電所は、電力、製造、交通等の種々の分野において、広く設置されている。変電所には、キュービクル等の配電盤が設けられ、変電所内系統の電力潮流の管理を行なっている。
【０００３】
近年、変電所で用いられる配電盤には、変電所内系統の事故の発生を事故の名称で表示するものが用いられている。ここで事故の名称とは、「電圧不足」、「過電圧」等である。作業員は、配電盤に表示された事故の名称を参考にしつつ、作業員の経験に基づいて事故の発生箇所を特定し、事故の発生箇所に出向いて事故の回復措置を行なう。
【０００４】
しかし、経験の少ない作業員は、漠然とした事故の名称だけでは事故の発生箇所を特定することができないことが多い。
【０００５】
電力系統の事故の発生を表示する技術としては、特開平１０−２６０７２０号公報（特許文献１）に、電力系統から系統信号を受信したときに事故発生又は異常発生を識別する系統信号処理部と、系統信号処理部が事故発生を識別したときに、事故対応候補をガイダンスメッセージとして表示する事故対応支援システムと、系統信号処理部が異常発生を識別したときに異常ガイダンスメッセージを画面表示する異常対応支援システムと、を備えた電力系統の事故・異常ガイダンスシステムが開示されている。
【特許文献１】特開平１０−２６０７２０号公報
【発明の開示】
【発明が解決しようとする課題】
【０００６】
特許文献１に開示された電力系統の事故・異常ガイダンスシステムは、事故箇所の現場表示名称と事故内容に対応する異常ガイダンスメッセージを表示する。
【０００７】
しかし、現場表示名称と異常ガイダンスメッセージは、事故・異常ガイダンスシステムの画面に表示されるため、作業員が異常ガイダンスメッセージ等に気づかない場合がある。
【０００８】
また、異常ガイダンスメッセージ等は事故・異常ガイダンスシステムの画面に表示されるため、事故現場近くにいる作業員に対して異常ガイダンスメッセージ等を伝えることが困難であるという問題があった。
【０００９】
本発明は、上記事情に鑑みてなされたものであり、電力系統の事故の発生の際に事故内容および事故発生箇所を配電盤が音声出力するとともに事故内容および事故発生箇所を携帯情報端末で取得することができる事故情報管理システムを提供することを目的とする。
【課題を解決するための手段】
【００１０】
本発明に係る事故情報管理システムは、上記問題点を解決するものであり、変電所内系統の事故の事故名称毎に設けられ事故発生の有無を表示する事故表示スイッチからなる事故表示スイッチ群と、前記事故の発生を表示した事故表示スイッチの押圧により、この事故表示スイッチの事故名称に属する事故内容情報および事故発生箇所情報を音声出力する配電盤と、タッチパネル機能を有する表示部に、変電所内系統の事故の事故名称毎に設けられ事故発生の有無を表示する事故表示領域からなる事故表示領域テーブルを表示し、前記配電盤から受信した事故内容情報および事故発生箇所情報に基づき、この事故内容情報および事故発生箇所情報の属する事故名称の事故表示領域に事故の発生を表示させるとともに、この事故の発生を表示した事故表示領域の押圧によりこの事故表示領域の事故名称に属する事故内容情報および事故発生箇所情報を出力する携帯情報端末と、を備えることを特徴とする。
【発明の効果】
【００１１】
本発明に係る事故情報管理システムによれば、変電所内系統の事故の発生の際に事故内容および事故発生箇所を配電盤が音声出力するとともに事故内容および事故発生箇所を携帯情報端末で取得することができる。
【発明を実施するための最良の形態】
【００１２】
［第１の実施形態］
本発明に係る事故情報管理システムにつき図面を参照して説明する。図１は、本発明に係る第１の実施形態に示された事故情報管理システム１を示す図である。図２は、事故情報管理システム１を構成する配電盤の機能ブロック図である。図３は、事故情報管理システム１を構成する携帯情報端末の機能ブロック図である。
【００１３】
図１に示す配電盤管理システム１は、配電盤１０および携帯情報端末３０を備える。配電盤１０と携帯情報端末３０とは、有線または無線で接続される。
【００１４】
（配電盤）
図１に示すように、配電盤１０は、図示しない筐体である配電盤本体の正面に、扉２０、２０が開閉自在に取り付けられる。扉２０、２０は、ノブ２４、２４の操作で開閉される。配電盤本体内には、図示しない補助リレー、タイマー、継電器等の部品が実装される。
【００１５】
扉２０の表面には、事故表示スイッチ１３ａ、１３ｂ、１３ｃ、・・・、１３ｇ等からなる事故表示スイッチ群１２が設けられる。
【００１６】
事故表示スイッチ１３ａ等は、変電所内系統の事故の事故名称毎に設けられる。ここで事故名称とは、変電所内系統の事故の現象のみを示す名称である。事故名称としては、たとえば、「電力不足」、「過電圧」等が挙げられる。
【００１７】
また、事故名称は、日本語等の言語に代えて所定の識別コードとしてもよい。識別コードとしては、たとえば、「電力不足」を意味するように設定した識別コード「２７」が挙げられる。
【００１８】
事故表示スイッチ１３ａ等は、事故の発生を知らせる所定の信号の入力により、事故発生の有無を表示可能になっている。事故発生の有無の表示方法は、たとえば、事故表示スイッチ１３ａ等の点灯の有無で表示される。
【００１９】
事故表示スイッチ１３ａ等は、たとえば、図示しない光を透過するカバーと、このカバーを発光させる図示しない発光源とを備えたものから構成される。発光源の点灯の有無とカバーの点灯の有無が連動し、作業者は、カバーの点灯の有無から事故の有無を判断することができる。
【００２０】
事故表示スイッチ１３ａ等は、図示しないカバーの押圧によりスイッチ機能を有する押しボタンになっている。
【００２１】
図２に示すように、配電盤１０は、配電盤本体１１に、事故表示スイッチ群１２と、事故内容／発生箇所情報取得部１４と、事故表示指示部１５と、音声出力部１６と、通信部１７と、音声出力指示部１８とを備える。
【００２２】
事故内容／発生箇所情報取得部１４は、変電所内系統の事故の発生に基づき作成された事故内容情報および事故発生箇所情報を取得する。
【００２３】
ここで事故内容情報は、変電所内系統で発生した事故の内容の情報である。事故の内容は、たとえば、「電圧不足」、「過電圧」等の区分で示される。事故内容情報は、たとえば、「電圧不足が発生しました。」のような簡単な文章の形態で作成される。
【００２４】
また事故発生箇所情報は、事故内容情報に関連する変電所内系統の事故の発生箇所の情報である。事故の発生箇所は、たとえば、「系統」、「回線」等の区分で示される。事故発生箇所情報は、たとえば、「Ａ回線を調査してください。」のような簡単な文章の形態で作成される。
【００２５】
事故内容情報および事故発生箇所情報は、たとえば、事故現場から送信される情報に基づいて、配電盤１０内で自動的に作成されたり、図示しない装置で作業者が作成したりしたものである。
【００２６】
事故内容情報および事故発生箇所情報が、配電盤１０外で作成された場合には、配電盤１０の事故内容／発生箇所情報取得部１４は、通信部１７を介して事故内容情報および事故発生箇所情報を取得する。
【００２７】
事故表示指示部１５は、事故内容情報および事故発生箇所情報に基づき、事故内容情報および事故発生箇所情報の属する事故名称の事故表示スイッチに事故の発生を表示させる。
【００２８】
音声出力部１６は、事故内容情報、事故発生箇所情報等の音声を出力する。通信部１７は、携帯情報端末３０等の外部機器と有線または無線で接続可能になっている。
【００２９】
音声出力指示部１８は、事故の発生を表示した事故表示スイッチ１３ａ等の押圧に基づき、この事故表示スイッチ１３ａ等の事故名称に属する事故内容情報および事故発生箇所情報を音声出力部１６から音声出力させる。
【００３０】
（携帯情報端末）
図１に示すように、携帯情報端末３０は、筐体である携帯情報端末本体４０の表面に表示部３１が設けられ、さらに通信部３４が設けられる。
【００３１】
表示部３１は、情報を表示するとともにタッチパネル機能を有する。表示部３１は、人の指、タッチペン等での押圧により、処理の選択、実行をすることが可能になっている。表示部３１としては、たとえば、液晶パネルが用いられる。
【００３２】
表示部３１内には、事故表示領域３３ａ、３３ｂ、３３ｃ、・・・、３３ｇ等からなる事故表示領域テーブル３２が表示される。
【００３３】
事故表示領域３３ａ等は、変電所内系統の事故の事故名称毎に設けられる。ここで事故名称は、配電盤１０の事故表示スイッチ１３ａ等で説明した概念と同じであるため、説明を省略する。
【００３４】
事故表示領域３３ａ、３３ｂ、３３ｃ、・・・、３３ｇ等の事故名称は、配電盤１０の事故表示スイッチ１３ａ、１３ｂ、１３ｃ、・・・、１３ｇ等の事故名称にそれぞれ一致するようになっている。
【００３５】
事故表示領域３３ａ等は、事故の発生を知らせる所定の信号の入力により、事故発生の有無を表示可能になっている。事故発生の有無の表示方法は、たとえば、事故表示領域３３ａ等の点滅の有無や色の変化で表示される。
【００３６】
通信部３５は、配電盤１０等の外部機器と有線または無線で接続可能になっている。
【００３７】
図３に示すように、携帯情報端末３０は、表示部３１と、通信部３５と、事故関連情報取得部３６と、事故表示指示部３７とを備える。表示部３１には、事故表示領域３３ａ等からなる事故表示領域テーブル３２が表示され、
事故関連情報取得部３６は、事故の発生に基づき作成された事故内容情報および事故発生箇所情報を配電盤１０から通信部３４を介して取得する。
【００３８】
事故関連情報取得部３６は、通常、通信部３５から配電盤１０に情報取得信号を送信して、配電盤１０から事故内容情報および事故発生箇所情報を取得する。
【００３９】
配電盤１０の送信指示部１９が、事故内容情報および事故発生箇所情報を自動的に送信する設定になっている場合には、事故関連情報取得部３６は情報取得信号を配電盤１０に送信しない設定にしてもよい。
【００４０】
事故表示指示部３７は、事故内容情報および事故発生箇所情報に基づき、事故内容情報および事故発生箇所情報の属する事故名称の事故表示領域に事故の発生を表示させる。
【００４１】
出力指示部３８は、表示部３１に表示され、事故の発生を表示した事故表示領域３３ａ等の押圧に基づき、この事故表示領域３３ａ等の事故名称に属する事故内容情報および事故発生箇所情報を、表示部３１に画面表示させたり図示しない音声出力部から音声で出力させたりする。
【００４２】
次に、図２〜図５を参照して配電盤管理システム１の作用を説明する。図４および図５は配電盤管理システム１の作用を説明する図である。
【００４３】
（事故内容情報および事故発生箇所情報の作成ステップ）
はじめに、変電所内系統に事故が発生すると、この事故の事故内容情報および事故発生箇所情報が作成される。事故内容情報５２は、図４に示すように、「○○が発生しました。」という情報として作成される。事故発生箇所情報５３は、図４に示すように、「□□を調査してください。」という情報として作成される。
【００４４】
事故内容情報５２および事故発生箇所情報５３は、事故現場から送信される情報に基づいて、たとえば、図示しない装置で作業者が作成する。
【００４５】
（配電盤での事故内容情報および事故発生箇所情報の取得ステップ）
次に、配電盤１０の事故内容／発生箇所情報取得部１４は、通信部１７を介して事故内容情報５２および事故発生箇所情報５３を取得する。
【００４６】
（配電盤での事故の発生の表示ステップ）
さらに、配電盤１０の事故表示指示部１５は、事故内容情報５２および事故発生箇所情報５３に基づき、事故内容情報５２および事故発生箇所情報５３の属する事故名称の事故表示スイッチ１３ａ等に事故の発生を表示させる。
【００４７】
ここで事故内容情報５２および事故発生箇所情報５３の属する事故名称の事故表示スイッチは１３ｇであるとする。図４に示すように、事故表示スイッチ１３ｇは点灯等により事故の発生を表示する。
【００４８】
（配電盤での音声ガイダンス出力ステップ）
次に、作業者が事故の発生を表示する事故表示スイッチ１３ｇを図４に示す符号Ｘのように押圧すると、配電盤１０の音声出力指示部１８は、事故内容情報５２および事故発生箇所情報５３を含む音声ガイダンス５１を音声出力部１６から出力させる。配電盤１０の近傍にいる作業者は、この音声ガイダンス５１により事故内容情報５２および事故発生箇所情報５３を得ることができる。
【００４９】
（携帯情報端末での事故内容情報および事故発生箇所情報の取得ステップ）
さらに、携帯情報端末３０は、事故関連情報取得部３６により、配電盤１０から通信部３４を介して事故内容情報５２および事故発生箇所情報５３を受信する。
【００５０】
（携帯情報端末での事故の発生の表示ステップ）
次に、携帯情報端末３０は、表示部３１内に表示された事故表示領域テーブル３２の事故表示領域３３ａ等のうち、配電盤１０の事故表示スイッチ１３ｇと同じ事故名称の領域である事故表示領域３３ｇに事故の発生を表示させる。事故表示領域３３ｇの事故の発生の表示は、事故表示領域３３ｇの下地の色の変化や点滅等で示される。
【００５１】
（携帯情報端末での事故内容情報および事故発生箇所情報の出力ステップ）
さらに、作業者が事故の発生を表示する携帯情報端末３０の事故表示領域３３ｇを図５に示す符号Ｙのように押圧すると、携帯情報端末３０の出力指示部３８は、事故内容情報５２および事故発生箇所情報５３を含む情報を出力させる。事故内容情報５２および事故発生箇所情報５３を含む情報は、図示しない音声出力部から音声で出力させる。
【００５２】
事故内容情報５２および事故発生箇所情報５３を含む情報は、表示部３１に表示してもよい。
【００５３】
事故情報管理システム１によれば、変電所内系統の事故の発生の際に事故内容および事故発生箇所を配電盤１０が音声出力するとともに事故内容および事故発生箇所を携帯情報端末３０で取得することができる。
【００５４】
［第２の実施形態］
次に、本発明に係る事故情報管理システムの第２実施形態１Ａにつき図面を参照して説明する。
【００５５】
第２の実施形態に示された事故情報管理システム１Ａは、第１の実施形態に示された事故情報管理システム１と外観構成が同じであるため、事故情報管理システム１と同様に図１に示す。
【００５６】
第２の実施形態に示された事故情報管理システム１Ａは、第１の実施形態に示された事故情報管理システム１に対し、配電盤１０に代えて配電盤１０Ａを用いるとともに、携帯情報端末３０に代えて携帯情報端末３０Ａを用いる点で異なる。
【００５７】
事故情報管理システム１Ａのその他の構成は、事故情報管理システム１と同じであるため、同じ構成に同じ符号を用い、構成および作用の説明を簡略化または省略する。
【００５８】
図６は、事故情報管理システム１Ａを構成する配電盤の機能ブロック図である。図７は、事故情報管理システム１Ａを構成する携帯情報端末の機能ブロック図である。
【００５９】
（配電盤）
図６に示すように、事故情報管理システム１Ａを構成する配電盤１０Ａは、事故情報管理システム１を構成する配電盤１０に対して、配電盤１０の配電盤本体１１に代えて配電盤本体１１Ａを用いる点、および事故内容／発生箇所情報データベース２１とメンテナンス情報データベース２２と事故時系統状態情報データベース２３とをさらに備える点で異なる。
【００６０】
配電盤１０Ａと配電盤１０とは、他の構成および作用が同じであるため、同じ構成に同じ符号を用い、構成および作用の説明を簡略化または省略する。
【００６１】
配電盤本体１１Ａは、配電盤本体１１に対し、送信指示部１９をさらに備える点で異なる。配電盤本体１１Ａと配電盤本体１１との同じ構成に同じ符号を用い、構成および作用の説明を簡略化または省略する。
【００６２】
送信指示部１９は、事故の発生を表示した事故表示スイッチ１３ａ等の押圧に基づき、少なくともこの事故表示スイッチ１３ａ等の事故名称に属する事故内容情報および事故発生箇所情報を通信部１７から携帯情報端末３０に送信させる。
【００６３】
事故内容／発生箇所情報データベース２１には、事故内容情報および事故発生箇所情報が記憶される。
【００６４】
メンテナンス情報データベース２２には、事故への対処方法であるメンテナンス情報が記憶される。ここで事故への対処方法とは、部品等の事故部分のメンテナンス、および部品等の事故部分の交換を含む意味である。
【００６５】
送信指示部１９は、事故の発生を表示した事故表示スイッチ１３ａ等の押圧に基づき、この事故表示スイッチ１３ａ等の事故名称に属するメンテナンス情報をさらに通信部１７から携帯情報端末３０に送信させる。
【００６６】
事故時系統状態情報データベース２３には、変電所内系統の事故の発生時前後の運用状態を示す事故時系統状態情報が記憶される。
【００６７】
送信指示部１９は、事故の発生を表示した事故表示スイッチ１３ａ等の押圧に基づき、この事故表示スイッチ１３ａ等の事故名称に属する事故時系統状態情報をさらに通信部１７から携帯情報端末３０に送信させる。
【００６８】
事故時系統状態情報としては、事故履歴情報、運用状態情報、電流情報、および電圧情報、の少なくともいずれかが用いられる。
【００６９】
事故履歴情報は、変電所内系統の事故履歴を示す情報である。運用状態情報は、変電所内系統の運用状態を示す情報である。電流情報は、変電所内系統の電流状態を示す情報である。電圧情報は、変電所内系統の電圧状態を示す情報である。
【００７０】
（携帯情報端末）
図７に示すように、事故情報管理システム１Ａを構成する携帯情報端末３０Ａは、事故情報管理システム１を構成する携帯情報端末３０に対して、音声出力部３４とメンテナンス情報記憶部４１と事故時系統状態情報記憶部４２とをさらに備える点で異なる。
【００７１】
携帯情報端末３０Ａと携帯情報端末３０とは、他の構成および作用が同じであるため、同じ構成に同じ符号を用い、構成および作用の説明を簡略化または省略する。
【００７２】
音声出力部３４は、事故内容情報、事故発生箇所情報等の音声を出力する。
【００７３】
メンテナンス情報記憶部４１は、事故への対処方法であるメンテナンス情報を記憶する。メンテナンス情報は、事故関連情報取得部３６が、通信部３５を介して配電盤１０から取得する。
【００７４】
メンテナンス情報を取得したときは、出力指示部３８は、事故の発生を表示した事故表示領域３３ａ等の押圧に基づき、この事故表示領域３３ａ等の事故名称に属するメンテナンス情報を表示部３１に表示する。
【００７５】
事故時系統状態情報記憶部４２は、変電所内系統の事故の発生時前後の運用状態を示す事故時系統状態情報を記憶する。事故時系統状態情報は、事故関連情報取得部３６が、通信部３５を介して配電盤１０Ａから取得する。
【００７６】
事故時系統状態情報を取得したときは、出力指示部３８は、事故の発生を表示した事故表示領域３３ａ等の押圧に基づき、この事故表示領域３３ａ等の事故名称に属する事故時系統状態情報を表示部３１に表示する。
【００７７】
事故時系統状態情報としては、事故履歴情報、運用状態情報、電流情報、および電圧情報、の少なくともいずれかが用いられる。
【００７８】
次に、図４〜図１１を参照して配電盤管理システム１Ａの作用を説明する。図８〜図１１は配電盤管理システム１Ａの作用を説明する図である。
【００７９】
配電盤管理システム１Ａは、「事故内容情報および事故発生箇所情報の作成ステップ」から「配電盤での事故内容情報および事故発生箇所情報の取得ステップ」までを配電盤管理システム１と同様に行なう。このため、これらのステップの説明を省略する。
【００８０】
（事故内容情報および事故発生箇所情報の記憶ステップ）
配電盤管理システム１Ａは、「配電盤での事故内容情報および事故発生箇所情報の取得ステップ」の後、必要により、取得した事故内容情報５２および事故発生箇所情報５３を配電盤１０Ａの事故内容／発生箇所情報データベース２１に記憶する。
【００８１】
配電盤管理システム１Ａは、「事故内容情報および事故発生箇所情報の記憶ステップ」の後、「配電盤での事故の発生の表示ステップ」を行なう。
【００８２】
配電盤管理システム１Ａは、「配電盤での事故の発生の表示ステップ」から「配電盤での音声ガイダンス出力ステップ」までを配電盤管理システム１と同様に行なう。このため、これらのステップの説明を省略する。
【００８３】
（配電盤での事故内容情報および事故発生箇所情報の送信ステップ）
配電盤管理システム１Ａは、「配電盤での音声ガイダンス出力ステップ」の後、「配電盤での事故内容情報および事故発生箇所情報の送信ステップ」を行なう。
【００８４】
「配電盤での事故内容情報および事故発生箇所情報の送信ステップ」では、作業者が事故の発生を表示する事故表示スイッチ１３ｇを図４に示す符号Ｘのように押圧すると、配電盤１０Ａの送信指示部１９は、事故内容情報５２および事故発生箇所情報５３を通信部１７から携帯情報端末３０Ａに送信させる。
【００８５】
配電盤管理システム１Ａは、「配電盤での事故内容情報および事故発生箇所情報の送信ステップ」の後、「携帯情報端末での事故内容情報および事故発生箇所情報の取得ステップ」を行なう。「携帯情報端末での事故内容情報および事故発生箇所情報の取得ステップ」は配電盤管理システム１の場合と同じであるため、説明を省略する。
【００８６】
（携帯情報端末でのメンテナンス情報の取得ステップ）
配電盤管理システム１Ａは、「携帯情報端末での事故内容情報および事故発生箇所情報の取得ステップ」に加え、「携帯情報端末でのメンテナンス情報の取得ステップ」を行なう。
【００８７】
「携帯情報端末でのメンテナンス情報の取得ステップ」では、携帯情報端末３０Ａが、配電盤１０Ａから通信部３４を介して、メンテナンス情報を受信する。
【００８８】
携帯情報端末３０Ａは、必要により、メンテナンス情報をメンテナンス情報記憶部４１に記憶する。
【００８９】
（携帯情報端末での事故時系統状態情報の取得ステップ）
配電盤管理システム１Ａは、「携帯情報端末での事故内容情報および事故発生箇所情報の取得ステップ」に加え、「携帯情報端末での事故時系統状態情報の取得ステップ」を行なう。
【００９０】
「携帯情報端末での事故時系統状態情報の取得ステップ」では、携帯情報端末３０Ａが、配電盤１０Ａから通信部３４を介して、事故時系統状態情報を受信する。
【００９１】
携帯情報端末３０Ａは、必要により、事故時系統状態情報を事故時系統状態情報記憶部４２に記憶する。
【００９２】
「携帯情報端末でのメンテナンス情報の取得ステップ」および「携帯情報端末での事故時系統状態情報の取得ステップ」は、「携帯情報端末での事故内容情報および事故発生箇所情報の取得ステップ」と同時に実行されてもよい。
【００９３】
また、「携帯情報端末でのメンテナンス情報の取得ステップ」および「携帯情報端末での事故時系統状態情報の取得ステップ」は、いずれが先に実行されてもよいし、同時に実行されてもよい。
【００９４】
配電盤管理システム１Ａは、「携帯情報端末での事故内容情報および事故発生箇所情報の取得ステップ」、「携帯情報端末でのメンテナンス情報の取得ステップ」および「携帯情報端末での事故時系統状態情報の取得ステップ」の後、「携帯情報端末での事故の発生の表示ステップ」および「携帯情報端末での事故内容情報および事故発生箇所情報の出力ステップ」を行なう。
【００９５】
「携帯情報端末での事故の発生の表示ステップ」および「携帯情報端末での事故内容情報および事故発生箇所情報の出力ステップ」は、配電盤管理システム１の場合と同じであるため、説明を省略する。
【００９６】
（メンテナンス情報表示ステップ）
配電盤管理システム１Ａは、「携帯情報端末での事故内容情報および事故発生箇所情報の出力ステップ」に加え、「メンテナンス情報表示ステップ」を行なう。
【００９７】
「メンテナンス情報表示ステップ」では、出力指示部３８が、事故の発生を表示した事故表示領域３３ａ等の押圧に基づき、この事故表示領域３３ａ等の事故名称に属するメンテナンス情報を表示部３１に表示する。
【００９８】
図８に、メンテナンス情報を表示部３１に表示した例を示す。表示部３１には、「（１）○○を点検してください。」、「（２）○○を点検してください。」等のメンテナンス情報６５が表示される。
【００９９】
（事故時系統状態情報表示ステップ）
配電盤管理システム１Ａは、「携帯情報端末での事故内容情報および事故発生箇所情報の出力ステップ」に加え、「事故時系統状態情報表示ステップ」を行なう。
【０１００】
「事故時系統状態情報表示ステップ」では、出力指示部３８が、事故の発生を表示した事故表示領域３３ａ等の押圧に基づき、この事故表示領域３３ａ等の事故名称に属する事故時系統状態情報を表示部３１に表示する。
【０１０１】
図９に、事故時系統状態情報７０である事故履歴情報７１を表示部３１に表示した例を示す。事故履歴情報７１は、「（１）５時３０分２６秒  ５１Ｔ発生」、「（２）５時３０分２６秒  ５２Ｒ１開」、「（３）５時３０分２７秒  ８９Ｒ１開」、等の履歴を表示している。
【０１０２】
事故履歴情報７１において、「５１」は「過電流」、「Ｔ」は「トランス」、「５２」は「遮断器」、「８９」は「断路器」、「Ｒ」は「受電側」、「１」は「１回線」、「開」は「開放状態」を示す識別コードである。
【０１０３】
このため、「５１Ｔ発生」は「トランスで過電流が発生した。」ことを意味し、「５２Ｒ１開」は「受電側の遮断器が１回線分開放状態になった。」ことを意味し、「８９Ｒ１開」は「受電側の断路器が１回線分開放状態になった。」ことを意味する。
【０１０４】
図１０に、事故時系統状態情報７０である運用状態情報７２を表示部３１に表示した例を示す。運用状態情報７２は、事故時の系統の機器構成と機器の稼動状態を示す。
【０１０５】
図１１に、事故時系統状態情報７０である電流情報７３を表示部３１に表示した例を示す。電流情報７３は、事故前後の系統の所定部分の電流の変化をグラフで示す。
【０１０６】
事故情報管理システム１Ａによれば、事故情報管理システム１の有する効果に加え、メンテナンス情報を携帯情報端末３０Ａで表示することができるため、携帯情報端末３０Ａに表示されたメンテナンス情報に基づき、作業者が事故箇所のメンテナンスを容易に行うことができる。
【０１０７】
事故情報管理システム１Ａによれば、事故情報管理システム１の有する効果に加え、事故時系統状態情報を携帯情報端末３０Ａで表示することができるため、携帯情報端末３０Ａに表示された事故時系統状態情報に基づき、作業者が事故の原因の解析を行うことができる。
【０１０８】
事故情報管理システム１Ａは、配電盤１０Ａが、事故内容／発生箇所情報データベース２１、メンテナンス情報データベース２２および事故時系統状態情報データベース２３の少なくともいずれかを含まない構成としてもよい。
【０１０９】
配電盤１０Ａが、事故内容／発生箇所情報データベース２１、メンテナンス情報データベース２２および事故時系統状態情報データベース２３の少なくともいずれかを含まない構成にすると、配電盤１０Ａを低コスト化することができる。
【０１１０】
事故情報管理システム１Ａは、携帯情報端末３０Ａが、音声出力部３４、メンテナンス情報記憶部４１および事故時系統状態情報記憶部４２少なくともいずれかを含まない構成としてもよい。
【０１１１】
携帯情報端末３０Ａが、音声出力部３４、メンテナンス情報記憶部４１および事故時系統状態情報記憶部４２少なくともいずれかを含まない構成にすると、携帯情報端末３０Ａを低コスト化することができる。
【図面の簡単な説明】
【０１１２】
【図１】本発明に係る事故情報管理システムを示す図。
【図２】本発明に係る事故情報管理システムの第１実施形態を構成する配電盤の機能ブロック図。
【図３】本発明に係る事故情報管理システムの第１実施形態を構成する携帯情報端末の機能ブロック図。
【図４】本発明に係る事故情報管理システムの第１実施形態の作用を説明する図。
【図５】本発明に係る事故情報管理システムの第１実施形態の作用を説明する図。
【図６】本発明に係る事故情報管理システムの第２実施形態を構成する配電盤の機能ブロック図。
【図７】本発明に係る事故情報管理システムの第２実施形態を構成する携帯情報端末の機能ブロック図。
【図８】本発明に係る事故情報管理システムの第２実施形態の作用を説明する図。
【図９】本発明に係る事故情報管理システムの第２実施形態の作用を説明する図。
【図１０】本発明に係る事故情報管理システムの第２実施形態の作用を説明する図。
【図１１】本発明に係る事故情報管理システムの第２実施形態の作用を説明する図。
【符号の説明】
【０１１３】
１、１Ａ  事故情報管理システム
１０、１０Ａ  配電盤
１１、１１Ａ  配電盤本体
１２  事故表示スイッチ群
１３  事故表示スイッチ
１４  事故内容／発生箇所情報取得部
１５  事故表示指示部
１６  音声出力部
１７  通信部
１８  音声出力指示部
１９  送信指示部
２０  配電盤の扉
２１  事故内容／発生箇所情報データベース
２２  メンテナンス情報データベース
２３  事故時系統状態情報データベース
２４  配電盤のノブ
３０、３０Ａ  携帯情報端末
３１  表示部
３２  事故表示領域テーブル
３３  事故表示領域
３４  音声出力部
３５  通信部
３６  事故関連情報取得部
３７  事故表示指示部
３８  出力指示部
４０  携帯情報端末本体
４１  メンテナンス情報記憶部
４２  事故時系統状態情報記憶部
５１  音声ガイダンス
５２  事故内容情報
５３  事故発生箇所情報
６１  音声ガイダンス
６５  メンテナンス情報
７０  事故時系統状態情報
７１  事故履歴情報（事故時系統状態情報）
７２  運用状態情報（事故時系統状態情報）
７３  電流情報（事故時系統状態情報）
【図１】
2008234172.tif 000003
【図２】
2008234172.tif 000004
【図３】
2008234172.tif 000005
【図４】
2008234172.tif 000006
【図５】
2008234172.tif 000007
【図６】
2008234172.tif 000008
【図７】
2008234172.tif 000009
【図８】
2008234172.tif 000010
【図９】
2008234172.tif 000011
【図１０】
2008234172.tif 000012
【図１１】
2008234172.tif 000013